(57)【要約】      （修正有）【課題】手術を施す者の指が一対の把持部から抜けたときに、一対の把持部が連結軸を軸として広がり過ぎることを防止し、再度、容易に一対の把持部を把持し、指を挿入することができる手術用鉗子を提供する。【解決手段】対象物を挟持する挟持部１ａ，１ｂを一端２ａ，２ｂに有し、手術を施す者の手により把持され、指が挿入される把持部を他端に有する一対の鉗子部材６ａ，６ｂから成り、一対の鉗子部材は、交差される交差部７ａ，７ｂに設けられる連結軸８ａにより、相互に開閉可能に連結され、指により一対の把持部が開閉されることにより、一対の挟持部が開閉され、一方の鉗子部材の交差部に嵌合されるピン９と、他方の鉗子部材の交差部に設けられ、ピンが挿入されて移動される円弧状孔部１１と、を有し、ピンの移動が円弧状孔部により制限されることにより、一対の鉗子部材が相互に開閉可能な角度を制限する。【選択図】図１
2016209371.tif 000002
【特許請求の範囲】
【請求項１】
対象物を挟持する挟持部を一端に有し、手術を施す者の手により把持され、前記手術を施す者の指が挿入される把持部を他端に有する一対の鉗子部材から成り、
前記一対の鉗子部材は、交差される交差部に設けられる連結軸により、相互に開閉可能に連結され、前記指により一対の前記把持部が開閉されることにより、一対の前記挟持部が開閉される手術用鉗子において、
一方の前記鉗子部材の前記交差部に嵌合されるピンと、
他方の前記鉗子部材の前記交差部に設けられ、前記ピンが挿入されて移動される円弧状孔部と、を有し、
前記ピンの移動が前記円弧状孔部により制限されることにより、前記一対の鉗子部材が相互に開閉可能な角度を制限することを特徴とする手術用鉗子。
【請求項２】
前記対象物は、前記手術に用いられる糸、前記手術に用いられる器具、あるいは、前記手術が施される者の手術部位であることを特徴とする請求項１に記載の手術用鉗子。
【発明の詳細な説明】
【技術分野】
【０００１】
本発明は、手術で傷を縫合する際に糸を挟持して送るため等に用いられる手術用鉗子に関するものである。
【背景技術】
【０００２】
従来、特開２００１−２４５８９３号公報(特許文献１)、特開２００４−２０９００９号公報(特許文献２)等において、手術に用いられる器具、手術が施される者の部位を挟持する挟持部を一端に有し、手術を施す者の手により把持され、手術を施す者の指が挿入される把持部を他端に有する一対の鉗子部材から成り、一対の鉗子部材は、交差される交差部に設けられる連結軸により、相互に開閉可能に連結され、指により一対の把持部が開閉されることにより、一対の挟持部が開閉される手術用鉗子が提案されている。
【先行技術文献】
【特許文献】
【０００３】
【特許文献１】特開２００１−２４５８９３号公報
【０００４】
【特許文献２】特開２００４−２０９００９号公報
【発明の概要】
【発明が解決しようとする課題】
【０００５】
しかし、上述の従来例は、手術を施す者の手が一対の把持部から離れ、手術を施す者の指が、一対の把持部の孔部から抜けたときに、一対の把持部は連結軸を軸として広がり過ぎた。
このため、手術を施す者が、再度、一対の把持部を把持し、一対の把持部に指を挿入しようとしても、挿入しづらいという課題があった。
そこで、本発明は、手術を施す者の手が一対の把持部から離れ、手術を施す者の指が一対の把持部から抜けたときに、一対の把持部が連結軸を軸として広がり過ぎることを防止し、手術を施す者が、再度、容易に一対の把持部を把持し、指を挿入することができる手術用鉗子を提供することを目的とする。
【課題を解決するための手段】
【０００６】
上記課題を解決するための本発明は、対象物を挟持する挟持部を一端に有し、手術を施す者の手により把持され、前記手術を施す者の指が挿入される把持部を他端に有する一対の鉗子部材から成り、前記一対の鉗子部材は、交差される交差部に設けられる連結軸により、相互に開閉可能に連結され、前記指により一対の前記把持部が開閉されることにより、一対の前記挟持部が開閉される手術用鉗子において、一方の前記鉗子部材の前記交差部に嵌合されるピンと、他方の前記鉗子部材の前記交差部に設けられ、前記ピンが挿入されて移動される円弧状孔部と、を有し、前記ピンの移動が前記円弧状孔部により制限されることにより、前記一対の鉗子部材が相互に開閉可能な角度を制限することを特徴とする手術用鉗子である。
【発明の効果】
【０００７】
本発明によれば、手術を施す者の手が一対の把持部から離れ、手術を施す者の指が一対の把持部から抜けたときに、一対の把持部が連結軸を軸として広がり過ぎることを防止し、手術を施す者が、再度、容易に一対の把持部を把持し、指を挿入することができる。
【図面の簡単な説明】
【０００８】
【図１】本発明の一実施例の分解斜視図である。
【図２】本発明の一実施例の斜視図である。
【図３】本発明の一実施例の部分断面図である。
【図４】本発明の一実施例の平面図である。
【図５】本発明の一実施例の右側面図である。
【図６】本発明の一実施例の正面図である。
【図７】本発明の一実施例の部分拡大斜視図である。
【発明を実施するための形態】
【０００９】
以下、添付図面を参照して、本発明の実施例を説明する。
図１、図２、図４、図５、図６に示されるように一対の鉗子部材６ａ，６ｂは、図示されない対象物を挟持する挟持部１ａ，１ｂを一端２ａ，２ｂに有する。
一対の鉗子部材６ａ，６ｂは、さらに、図示されない手術を施す者の手により把持され、手術を施す者の指が挿入される孔部３ａ，３ｂを有する把持部４ａ，４ｂを他端５ａ，５ｂに有する。
一対の鉗子部材６ａ，６ｂは、交差される交差部７ａ，７ｂに設けられる連結軸８ａにより、相互に開閉可能に連結される。連結軸８ａは、鉗子部材６ａの交差部７ａに設けられる孔部８ｂと、鉗子部材６ｂの交差部７ｂに設けられる孔部８ｃ，８ｃに嵌合される。図示されない指により一対の把持部４ａ，４ｂが開閉されることにより、一対の挟持部１ａ，１ｂが開閉される。
【００１０】
ピン９は、一方の鉗子部材６ｂの交差部７ｂの孔部１０，１０に嵌合される。
図３の部分断面図にも示されるように円弧状孔部１１は、他方の鉗子部材６ａの交差部７ａに設けられ、ピン９が挿入されて移動され、ピン９の移動が円弧状孔部１１により制限されることにより、一対の鉗子部材６ａ，６ｂが相互に開閉可能な角度を制限する。
以上により、手術を施す者の手が一対の把持部４ａ，４ｂから離れ、手術を施す者の指が一対の把持部４ａ，４ｂの孔部３ａ，３ｂから抜けたときに、一対の把持部４ａ，４ｂが連結軸を軸として広がり過ぎることを防止し、手術を施す者が、再度、容易に一対の把持部４ａ，４ｂを把持し、指を孔部３ａ，３ｂに挿入することができる。
【００１１】
図７にも示される挟持部１ａ，１ｂに挟持される対象物は、図示されない手術に用いられる糸であり、溝１２ａ，１２ｂにより、糸が挟持され、手術が施される者の手術部位に送られる。
挟持部１ａ，１ｂとは、異なる構成の図示されない挟持部により挟持される対象物は、手術に用いられる器具、手術が施される者の手術部位等をも含む。
係合部１３ａ，１３ｂは、把持部４ａ，４ｂが閉じた場合に互いに係合し、閉じた状態を安定化する。
【符号の説明】
【００１２】
１ａ，１ｂ  挟持部    ２ａ，２ｂ  一端
３ａ，３ｂ  孔部      ４ａ，４ｂ  把持部
５ａ，５ｂ  他端      ６ａ，６ｂ  鉗子部材  
７ａ，７ｂ  交差部    ８ａ  連結軸
９  ピン              １０  孔部  
１１  円弧状孔部
【図１】
2016209371.tif 000003
【図２】
2016209371.tif 000004
【図３】
2016209371.tif 000005
【図４】
2016209371.tif 000006
【図５】
2016209371.tif 000007
【図６】
2016209371.tif 000008
【図７】
2016209371.tif 000009